(57)【要約】【課題】  端部構造体の上下高さおよび／または水平方向の出具合を調整可能な建築物の端部納め構造を提供すること。【解決手段】  端部構造体が取付構造体を経て躯体に取り付けられる建築物の端部納め構造において、端部構造体は、軒先構造体１０あるいはケラバ構造体１７からなり、前記躯体における鉄骨１に取付構造体８を取り付け、この取付構造体８と端部構造体が上下の高さ調整および／または水平方向の出具合調整が可能な調整手段９を介して連結されている。【選択図】  図１
2005240500.tif 000002
【特許請求の範囲】
【請求項１】
端部構造体が取付構造体を経て躯体に取り付けられる建築物の端部納め構造において、
端部構造体は、軒先構造体あるいはケラバ構造体からなり、
前記躯体における鉄骨に取付構造体を取り付け、
この取付構造体と端部構造体が上下の高さ調整および／または水平方向の出具合調整が可能な調整手段を介して連結されていることを特徴とする建築物の端部納め構造。
【請求項２】
調整手段が端部構造体もしくは取付構造体の両方もしくは少なくとも一方に設けられていることを特徴とする請求項１記載の建築物の端部納め構造。
【請求項３】
取付構造体が躯体に挟持状に締着されていることを特徴とする請求項１または２記載の建築物の端部納め構造。
【発明の詳細な説明】
【技術分野】
【０００１】
本発明は建築物の軒先やケラバに有用な端部納め構造に関する。
【背景技術】
【０００２】
一般的には、樋等の支持部材等を躯体（鉄骨）に溶接によって取り付けられているが、溶接作業は、様々な制限を受け、さらに施工性の悪いものであった。
特許文献1には、「取付金具１５は縦片１５ａと横片１５ｂとで断面Ｌ字状に形成されており、横片１５ｂを屋根梁１０の屋外側上面に固着具１７にて連結固定することによって縦片１５ａが下方に垂設されるように屋根梁１０に取り付けられている。この縦片１５ａの下部外面には軒樋支持具１８が取り付けられており、軒樋支持具１８に軒樋８が吊り下げ保持されている。」構成が記載されている。
ところで、屋根梁が鉄骨等の鋼材で形成されている場合、組み立て誤差を避けられないという鉄骨構造物であるが故の問題がある。この組み立て誤差は１ｃｍ前後程度で建物全体からすれば微差でしかないが、屋根梁１０に取り付けられる屋根の屋根面の不陸や軒側端縁の高さおよび出具合等の不一致となって発生することになり、意匠的にも好ましいことではない。また、このことは、同じ屋根梁１０に取り付けられる軒樋についても同様のことが言え、高さや出具合等の不一致となって発生することになる。
【特許文献１】特許第２７６３７６４号
【発明の開示】
【発明が解決しようとする課題】
【０００３】
解決しようとする課題は、第１には、端部構造体の上下高さおよび／または水平方向の出具合を調整可能な建築物の端部納め構造を、第２には、さらに、前記調整手段が端部構造体もしくは取付構造体の両方もしくは少なくとも一方に組み込まれて構造的に小型化されている建築物の端部納め構造を、第３には、さらに、鉄骨等の躯体に穴あけ等の加工をせずに、躯体に対して適宜位置に取り付けられて、端部構造体を組み付けることが可能な建築物の端部納め構造を提供することにある。
【課題を解決するための手段】
【０００４】
本発明は前記した課題を達成するため、以下の構成にしたことを特徴とする。
１．端部構造体が取付構造体を経て躯体に取り付けられる建築物の端部納め構造において、端部構造体は、軒先構造体あるいはケラバ構造体からなり、前記躯体における鉄骨に取付構造体を取り付け、この取付構造体と端部構造体が上下の高さ調整および／または水平方向の出具合調整が可能な調整手段を介して連結されていることを特徴とする。
本発明における躯体は、Ｈ型や略Ｃ型鋼からなる梁、母屋と称される鋼材からなる鉄骨である。
端部構造体とは、軒先構造体あるいはケラバ構造体である。軒先構造体は、軒樋、幕板、笠木、水切り板、軒天井板、前記軒樋、幕板等を収納もしくは固定するフレーム材等であり、ケラバ構造体は、化粧幕板、ケラバ天井板、前記化粧幕板、ケラバ天井板等を固定するフレーム材等である。
取付構造体は、Ｌ型等の型鋼にボルト等の孔部を設け、ボルトを通してナットで取り付け固定する態様のものでもよいし、前記穴あけ加工をせずに、鉄骨のフランジにフックやフックボルトを係止してナットで取り付け固定する態様等でもよく、躯体における鉄骨に取り付け可能な構造のものであればよい。
調整手段は、鉄骨に取り付けられて固定されている取付構造体に対して端部構造体の上下の高さおよび／または水平方向の出具合（軒棟方向あるいは桁行き方向）を移動させることで調整可能な機構構造のものであればよく、上下の高さ調整のみ可能な機構構造の調整手段であってもよいし、水平方向の出具合調整のみ可能な機構構造の調整手段であってもよいし、上下の高さおよび水平方向の出具合ともに調整可能な機構構造の調整手段であってもよい。
２．前記１において、調整手段が端部構造体もしくは取付構造体の両方もしくは少なくとも一方に設けられていることを特徴とする。
３．前記１または２において、取付構造体が躯体に挟持状に締着されていることを特徴とする。
【発明の効果】
【０００５】
Ａ．請求項１により、調整手段を通じて端部構造体の上下高さおよび／または水平方向の出具合を調整でき、軒先あるいはケラバの上下高さや出具合を整えることができる。すなわち、躯体に上下高さ、出具合に誤差がある場合であっても、容易に吸収して端部構造として所定の位置に配することができるので意匠的に整った端部意匠に仕上げることができる。
Ｂ．請求項２により、さらに、調整手段が端部構造体もしくは取付構造体の両方もしくは少なくとも一方に組み込まれているので、構造が大型にならずに済む。
Ｃ．請求項３により、さらに、鉄骨等の躯体に穴あけ等の加工をせずに、躯体に対して適宜位置に取り付けられて、端部構造体を組み付けることできる。
【発明を実施するための最良の形態】
【０００６】
図１には本発明の建築物の端部納め構造における実施の１形態として、軒先納め構造を例示しており、鉄骨１上には、下地材２、断熱材３、４、屋根板５を配設し、これらを保持部材６で鉄骨１側に取り付けて葺いてある。
そして、軒先の桁行き方向に沿う鉄骨１には、取付構造体８を挟持状に締着して取り付け固定してある。
取付構造体８は、前後一対（軒棟方向）の挟持杆８ａで鉄骨１を棟側と軒側から挟持し、両挟持杆８ａに渡る上下のボルト８ｂ、ナット８ｃで締着することにより、鉄骨１に挟持状に取り付け固定してある。
この軒側の挟持杆８ａには調整操作部９を介して軒先構造体１０を連結してある。
【０００７】
調整操作部９は、取付構造体８に組み込まれており、軒側の挟持杆８ａ上部の縦長孔９ａに継ぎ片９ｂの横長孔９ｃを一致させてボルト９ｄ、ナット９ｅで接続固定してあり、この継ぎ片９ｂ先端は軒先構造体１０の縦杆１０ａ上部のブラケット１０ａ１にピン９ｆで連結してある。また、挟持杆８ａ下部の縦長孔９ｇには継ぎボルト９ｈを通してナット９ｉで接続し、この継ぎボルト９ｈ先端は縦杆１０ａ中間部にピン９ｊで連結してある。この継ぎボルト９ｈは、ナット９ｉを回すことにより、ボルト軸線方向に進退させることで、軒先構造体１０の水平度を調整可能になっている。
かかる調整操作部９による軒先構造体１０の上下高さ調整は、継ぎ片９ｂにおけるボルト９ｄ、ナット９ｅを緩めて縦長孔９ａ、９ｇの縦長さ相当分を上下に移動させて、所望の高さに調整した後、ボルト９ｄ、ナット９ｅをそれぞれ締め付けて固定することにより行なわれる。また、軒先構造体１０の出具合調整は、継ぎ片９ｂにおけるボルト９ｄ、ナット９ｅを緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、軒先構造体１０の水平度を調整することも可能になっている。
なお、継ぎボルト９ｈにおけるナット９ｉを緩めたり締め付けることで、上下高さ調整、出調整後の軒先構造体の設置角度を調整することができ、任意な軒先構造体の外観を得ることができ、さらに、角度調整可能であることで、軒先とケラバや、勾配の異なる建築物等での部材の共通化を図ることができる。
【０００８】
軒先構造体１０は、縦杆１０ａと水平杆１０ｂと笠木受杆１０ｃとで軒樋受け部１０ｄを形成し、この軒樋受け部１０ｄ上に軒樋１１を取り付けてある。また、笠木受杆１０ｃには笠木１２および幕板１３を、軒天井取付杆１０ｅには軒天井部材１４を、それぞれ配設してある。
【０００９】
図２には本発明の建築物の端部納め構造における実施の１形態として、他の軒先納め構造を例示しており、構成は前記した図1の態様のものと基本的に同一であるため、共通している構成の説明は符号を準用して省略し、相違する構成について説明する。
取付構造体８は、軒先構造体１０における縦杆１０ａ上部のブラケット１０ａ１と軒天井取付杆１０ｅ間に架設した斜め杆８ｄに上下一対の取付具８ｅをボルト９ｄ、ナット９ｅでそれぞれ接続してある。この上下の取付具８ｅは、凹部８ｈ内にフランジ部１ａ軒側をボルト８ｉで押し止めし、同フランジ部１ａ棟側にフック８ｊを係止し、この取付具８ｅとフック８ｊをボルト８ｂ、ナット８ｃで締着することにより、鉄骨１に挟持状に取り付け固定してある。
【００１０】
調整操作部９は、取付構造体８に組み込まれており、斜め杆８ｄの上下の縦長孔９ａにそれぞれ取付具８ｅの横長孔９ｃを一致させてボルト９ｄ、ナット９ｅで接続固定してある。
かかる調整操作部９による軒先構造体１０の上下高さ調整は、上下のボルト９ｄ、ナット９ｅをそれぞれ緩めて縦長孔９ａの縦長さ相当分を上下に移動させて、所望の高さに調整した後、ボルト９ｄ、ナット９ｅをそれぞれ締め付けて固定することにより行なわれる。また、軒先構造体１０の出具合調整は、上下のボルト９ｄ、ナット９ｅをそれぞれ緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、軒先構造体１０の水平度を調整することも可能になっている。
【００１１】
図３には本発明の建築物の端部納め構造における実施の１形態として、他の軒先納め構造を例示しており、構成は前記した図1の態様のものと基本的に同一であるため、共通している構成の説明は符号を準用して省略し、相違する構成について説明する。
取付構造体８は、取付杆８ｋが鉄骨１軒側に当接した状態に、取付杆８ｋから伸びる上下のフックボルト８ｍを上下のフランジ部１ａにそれぞれ係止させてナット８ｃで締着することにより、鉄骨１に取り付け固定してある。
【００１２】
調整操作部９は、取付構造体８に組み込まれており、取付杆８ｋ上部の縦長孔９ａに縦杆１０ａ上部のブラケット１０ａ１の横長孔９ｃを一致させてボルト９ｄ、ナット９ｅで接続固定してある。また、取付杆８ｋ下部の縦長孔９ｇには継ぎボルト９ｈを通してナット９ｉで接続し、この継ぎボルト９ｈ先端は縦杆１０ａ中間部にピン９ｊで連結してある。
かかる調整操作部９による軒先構造体１０の上下高さ調整は、取付杆８ｋにおけるボルト９ｄ、ナット９ｅを緩めて縦長孔９ａ、９ｇの縦長さ相当分を上下に移動させて、所望の高さに調整した後、ボルト９ｄ、ナット９ｅを締め付けて固定することにより行なわれる。また、軒先構造体１０の出具合調整は、取付杆８ｋにおけるボルト９ｄ、ナット９ｅを緩めて横長孔９ｃの横長さ相当分を水平（軒棟方向）に移動させて、所望の出具合に調整した後、ボルト９ｄ、ナット９ｅを締め付けて固定することにより行なわれる。さらに、この高さ調整と出具合調整を適宜行なうことで、軒先構造体１０の水平度を調整することも可能になっている。
【００１３】
図４には本発明の建築物の端部納め構造における実施の１形態として、他の軒先納め構造を例示しており、構成は前記した図１の態様のものと基本的に同一であるため、共通している構成の説明は符号を準用して省略し、相違する構成について説明する。
取付構造体８は、取付杆８ｋが鉄骨１軒側に当接した状態に、取付杆８ｋから伸びる上下のフックボルト８ｍを上下のフランジ部１ａにそれぞれ係止させてナット８ｃで締着することにより、鉄骨１に取り付け固定してある。
【００１４】
調整操作部９は、取付構造体８と軒側構造体１０の双方に組み込まれており、取付杆８ｋ上部の孔９ｋに横杆９ｍ棟側の横長孔９ｃを一致させてボルト９ｄ、ナット９ｅで接続固定してあり、この横杆９ｍ軒側の孔９ｎを縦杆１０ａの縦長孔９ａと一致させてボルト９ｄ、ナット９ｅで接続固定してある。また、取付杆８ｋ下部の縦長孔９ｇには継ぎボルト９ｈを通してナット９ｉで接続し、この継ぎボルト９ｈ先端は縦杆１０ａ中間部にピン９ｊで連結してある。
かかる調整操作部９による軒先構造体１０の上下高さ調整は、縦杆１０ａにおけるボルト９ｄ、ナット９ｅを緩めて縦長孔９ａ、９ｇの縦長さ相当分を上下に移動させて、所望の高さに調整した後、ボルト９ｄ、ナット９ｅを締め付けて固定することにより行なわれる。また、軒先構造体１０の出具合調整は、取付杆８ｋにおけるボルト９ｄ、ナット９ｅを緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、軒先構造体１０の水平度を調整することも可能になっている。
【００１５】
図５には本発明の建築物の端部納め構造における実施の１形態として、他の軒先納め構造を例示しており、構成は前記した図４の態様のものと基本的に同一であるため、共通している構成の説明は符号を準用して省略し、相違する構成について説明する。
取付構造体８は、取付杆８ｋが鉄骨１軒側に当接した状態に、取付杆８ｋから伸びる腕部８ｐに上フランジ部１ａ軒側をボルト８ｉで押し止めし、腕部８ｐから伸びるフックボルト８ｍを上フランジ部１ａ棟側に係止させてナット８ｃで締着することにより、鉄骨１に取り付け固定してある。
【００１６】
調整操作部９は、取付構造体８と軒側構造体１０の双方に組み込まれており、この調整操作部９による軒先構造体１０の上下高さ調整は、縦杆１０ａにおけるボルト９ｄ、ナット９ｅを緩めて縦長孔９ａ、９ｇの縦長さ相当分を上下に移動させて、所望の高さに調整した後、ボルト９ｄ、ナット９ｅをそれぞれ締め付けて固定することにより行なわれる。また、軒先構造体１０の出具合調整は、取付杆８ｋにおけるボルト９ｄ、ナット９ｅを緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、軒先構造体１０の水平度を調整することも可能になっている。
【００１７】
図６には本発明の建築物の端部納め構造における実施の１形態として、他の軒先納め構造を例示しており、構成は前記した図３の態様のものと基本的に同一であるため、共通している構成の説明は符号を準用して省略し、相違する構成について説明する。
取付構造体８は、幕板取付杆８ｎ上部と軒天井取付杆１０ｅ棟側端間に架設した斜め杆８ｄに上下一対の取付具８ｅをボルト９ｄ、ナット９ｅでそれぞれ接続してある。この上下の取付具８ｅは、凹部８ｈ内にフランジ部１ａ軒側をボルト８ｉで押し止めし、同フランジ部１ａ棟側にフック８ｊを係止し、この取付具８ｅとフック８ｊをボルト８ｂ、ナット８ｃで締着することにより、鉄骨１に取り付け固定してある。
【００１８】
調整操作部９は、取付構造体８に組み込まれており、斜め杆８ｄの上下の縦長孔９ａにそれぞれ取付具８ｅの横長孔９ｃを一致させてボルト９ｄ、ナット９ｅで接続固定してある。
かかる調整操作部９による軒先構造体１０の上下高さ調整は、上下のボルト９ｄ、ナット９ｅをそれぞれ緩めて縦長孔９ａの縦長さ相当分を上下に移動させて、所望の高さに調整した後、ボルト９ｄ、ナット９ｅをそれぞれ締め付けて固定することにより行なわれる。また、軒先構造体１０の出具合調整は、上下のボルト９ｄ、ナット９ｅをそれぞれ緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、軒先構造体１０の水平度を調整することも可能になっている。
軒先構造体１０は、幕板取付杆１０ｆに幕板１５を、軒天井取付杆１０ｅに軒天井部材１６を、それぞれ配設してある。
【００１９】
図７には本発明の建築物の端部納め構造における実施の１形態として、ケラバ納め構造を例示しており、鉄骨１上には、下地材２、断熱材３、垂木４、屋根板５を順次配設し、これらを保持部材６で鉄骨１側に取り付けて葺いてある。
そして、ケラバの軒棟方向に沿う鉄骨１には、取付構造体８を挟持状に締着して取り付け固定してある。
取付構造体８は、鉛直杆８ｒに上下一対の取付具８ｅをボルト９ｄ、ナット９ｅでそれぞれ接続してある。この上下の取付具８ｅは、凹部８ｈ内にフランジ部１ａ内側（屋内側）をボルト８ｉで押し止めし、同フランジ部１ａ外側（室外側）にフック８ｊを係止し、この取付具８ｅとフック８ｊをボルト８ｂ、ナット８ｃで締着することにより、鉄骨１に取り付け固定してある。
この取付構造体８には調整操作部９を介してケラバ構造体１７を連結してある。
【００２０】
調整操作部９は、取付構造体８に組み込まれており、鉛直杆８ｒの上下の縦長孔９ａに上下の取付具８ｅの横長孔９ｃをそれぞれ一致させてボルト９ｄ、ナット９ｅで接続固定してある。
かかる調整操作部９によるケラバ構造体１７の上下高さ調整は、上下のボルト９ｄ、ナット９ｅをそれぞれ緩めて縦長孔９ａの縦長さ相当分を上下に移動させて、所望の高さに調整した後、ボルト９ｄ、ナット９ｅをそれぞれ締め付けて固定することにより行なわれる。また、ケラバ構造体１７の出具合調整は、上下のボルト９ｄ、ナット９ｅをそれぞれ緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、ケラバ構造体１７の水平度を調整することも可能になっている。
ケラバ構造体１７は、幕板取付杆１７ａに化粧幕板１８を、ケラバ覆い取付杆１７ｂにケラバ覆い部材１９を、それぞれ配設してある。
【００２１】
図８には本発明の建築物の端部納め構造における実施の１形態として、他のケラバ納め構造を例示しており、構成は前記した図８の態様のものと基本的に同一であるため、共通している構成の説明は符号を準用して省略し、相違する構成について説明する。
ケラバ構造体１７は、幕板取付杆１７ｃに化粧幕板２０を、ケラバ天井取付杆１７ｄにケラバ天井部材２１を、それぞれ配設してある。
そして、調整操作部９は、取付構造体８に組み込まれており、この調整操作部９によるケラバ構造体１７の上下高さ調整は、上下のボルト９ｄ、ナット９ｅをそれぞれ緩めて縦長孔９ａの縦長さ相当分を上下に移動させて、所望の高さに調整した後、ボルト９ｄ、ナット９ｅをそれぞれ締め付けて固定することにより行なわれる。また、ケラバ構造体１７の出具合調整は、上下のボルト９ｄ、ナット９ｅをそれぞれ緩めて横長孔９ｃの横長さ相当分を水平（軒棟方向）に移動させて、所望の出具合に調整した後、ボルト９ｄ、ナット９ｅをそれぞれ締め付けて固定することにより行なわれる。さらに、この高さ調整と出具合調整を適宜行なうことで、ケラバ構造体１７の水平度を調整することも可能になっている。
【図面の簡単な説明】
【００２２】
【図１】本発明の建築物の端部納め構造における実施の１形態として、軒先納め構造を例示している断面図。
【図２】本発明の建築物の端部納め構造における実施の１形態として、他の軒先納め構造を例示している断面図。
【図３】本発明の建築物の端部納め構造における実施の１形態として、他の軒先納め構造を例示している断面図。
【図４】本発明の建築物の端部納め構造における実施の１形態として、他の軒先納め構造を例示している断面図。
【図５】本発明の建築物の端部納め構造における実施の１形態として、他の軒先納め構造を例示している断面図。
【図６】本発明の建築物の端部納め構造における実施の１形態として、他の軒先納め構造を例示している断面図。
【図７】本発明の建築物の端部納め構造における実施の１形態として、ケラバ納め構造を例示している断面図。
【図８】本発明の建築物の端部納め構造における実施の１形態として、他のケラバ納め構造を例示している断面図。
【符号の説明】
【００２３】
１  鉄骨
１ａ  フランジ部
２  下地材
３  断熱材
４  垂木
５  屋根板
６  保持部材
８  取付構造体
８ａ  挟持杆
８ｂ、９ｄ  ボルト
８ｃ、９ｅ、９ｉ  ナット
８ｄ  斜め杆
８ｅ  取付具
８ｈ  凹部
８ｉ  ビス
８ｊ  フック
８ｋ  取付杆
８ｍ  フックボルト
８ｐ  腕部
８ｎ  幕板取付杆
８ｒ  鉛直杆
９  調整操作部（調整手段）
９ａ  縦長孔
９ｂ  継ぎ片
９ｃ  横長孔
９ｆ、９ｊ  ピン
９ｇ  縦長孔
９ｈ  継ぎボルト
９ｋ、９ｎ  孔
９ｍ  横杆
１０  軒先構造体（端部構造体）
１０ａ  縦杆
１０ａ１  ブラケット
１０ｂ  水平杆
１０ｃ  笠木受杆
１０ｄ  軒樋受け部
１０ｅ  軒天井取付杆
１０ｆ  幕板取付杆
１１  軒樋
１２  笠木
１３  幕板
１４  軒天井部材
１５  幕板
１６  軒天井部材
１７  ケラバ構造体（端部構造体）
１７ａ、１７ｃ  幕板取付杆
１７ｂ  ケラバ覆い取付杆
１７ｄ  ケラバ天井取付杆
１９  ケラバ覆い部材
１８、２０  化粧幕板
２１  ケラバ天井部材
【図１】
2005240500.tif 000003
【図２】
2005240500.tif 000004
【図３】
2005240500.tif 000005
【図４】
2005240500.tif 000006
【図５】
2005240500.tif 000007
【図６】
2005240500.tif 000008
【図７】
2005240500.tif 000009
【図８】
2005240500.tif 000010